【事件の表示】
　特願２０１８−５２２６４０「データ伝送方法、ネットワーク装置、及び端末装置」拒絶査定不服審判事件〔平成２９年　５月１１日国際公開、ＷＯ２０１７／０７５８０７、平成３０年１２月２７日国内公表、特表２０１８−５３８７２９、請求項の数（２４）〕について、次のとおり審決する。
【結　論】
　原査定を取り消す。
　本願の発明は、特許すべきものとする。
【理　由】
第１　手続の経緯
　本願は、平成２７年１１月６日を国際出願日とする出願であって、その手続の経緯の概要は以下のとおりである。
平成３０年　６月　１日　　　手続補正書
平成３１年　２月２８日付け　拒絶理由通知書
令和　元年　７月２４日　　　意見書・手続補正書
　　　　　１２月１２日付け　拒絶査定
令和　２年　４月１７日　　　審判請求・手続補正書
第２　本願発明
　本願の請求項１〜２４に係る発明（以下、それぞれ「本願発明１」〜「本願発明２４」といい、これらを総称して「本願発明」という。）は、令和２年４月１７日付け手続補正書によって補正された特許請求の範囲に記載される以下のとおりのものであると認める。
「　　【請求項１】
　データ伝送方法であって、
　第１のダウンリンク制御情報を第１の端末装置へネットワーク装置によって送信する段階であって、前記第１のダウンリンク制御情報は、第１の参照信号を示すのに用いられる構成情報を含み、前記第１の参照信号の前記構成情報は、前記第１の参照信号の伝送コム及び前記第１の参照信号の巡回シフトを含み、前記第１の参照信号の前記伝送コムは、偶数のサブキャリア又は奇数のサブキャリアを示す、段階と、
　前記第１の端末装置によって送信される前記第１の参照信号及び第１の物理アップリンク共有チャネル（第１のＰＵＳＣＨ）を前記ネットワーク装置によって受信する段階であって、前記第１の参照信号はスロット内のｉ番目のシンボルにあり、ｉは７より小さい正の整数であり、前記第１のＰＵＳＣＨは前記スロット内のｎ個のシンボルを占有し、ｎは１、２、又は３である、段階と、
　前記第１の参照信号に従って前記第１のＰＵＳＣＨを前記ネットワーク装置によって復調する段階とを備え、
　前記データ伝送方法は、
　第２の端末装置によって送信される第２の参照信号及び第３の物理アップリンク共有チャネル（第３のＰＵＳＣＨ）を前記ネットワーク装置によって受信する段階であって、前記第２の参照信号は前記スロット内のｉ番目のシンボルにあり、ｉは７より小さい前記正の整数であり、前記第３のＰＵＳＣＨは前記スロット内のｐ個のシンボルを占有し、ｐは１、２、又は３である、段階と、
　前記第２の参照信号に従って前記第３のＰＵＳＣＨを前記ネットワーク装置によって復調する段階とをさらに備え、
　前記第１のＰＵＳＣＨによって占有される前記シンボルは、前記第３のＰＵＳＣＨによって占有される前記シンボルと異なり、
　前記第１の参照信号は、周波数ドメインにおいて奇数のサブキャリアを占有し、前記第２の参照信号は、前記周波数ドメインにおいて偶数のサブキャリアを占有するか、又は、
　前記第２の参照信号は、周波数ドメインにおいて奇数のサブキャリアを占有し、前記第１の参照信号は、前記周波数ドメインにおいて偶数のサブキャリアを占有する
方法。
　　【請求項２】
　前記スロットは７個のシンボルを有し、ｉは４であり、前記第１のＰＵＳＣＨは第１のシンボルセット又は第２のシンボルセットにあり、
　前記第１のシンボルセットは、７個の前記シンボルのうち最初の３個を含み、
　前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１に記載の方法。
　　【請求項３】
　第２の端末装置によって送信される第２の参照信号及び第３のＰＵＳＣＨを前記ネットワーク装置によって受信する前記段階の前に、
　第２のダウンリンク制御情報を前記第２の端末装置へ前記ネットワーク装置によって送信する段階をさらに備え、前記第２のダウンリンク制御情報は、前記第２の参照信号を示すのに用いられる構成情報を含む、請求項１又は２に記載の方法。
　　【請求項４】
　前記第１の参照信号によって占有されるサブキャリア数の２倍が、前記第１のＰＵＳＣＨによって占有されるサブキャリア数より大きい又はそれに等しく、前記第２の参照信号によって占有されるサブキャリア数の２倍が、前記第３のＰＵＳＣＨによって占有されるサブキャリア数より大きい又はそれに等しい、請求項１から３のいずれか一項に記載の方法。
　　【請求項５】
　前記スロットが７個の前記シンボルを含み、ｉが４である場合、前記第１のＰＵＳＣＨによって占有される前記シンボルが前記第３のＰＵＳＣＨによって占有される前記シンボルと異なるということは、
　前記第１のＰＵＳＣＨが第１のシンボルセットにあり、前記第３のＰＵＳＣＨが第２のシンボルセットにあるか、又は前記第１のＰＵＳＣＨが前記第２のシンボルセットにあり、前記第３のＰＵＳＣＨが前記第１のシンボルセットにあることを含み、
　前記第１のシンボルセットは７個の前記シンボルのうち最初の３個を含み、
　前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１から４のいずれか一項に記載の方法。
　　【請求項６】
　前記第１の参照信号に従って前記第１のＰＵＳＣＨを前記ネットワーク装置によって復調する前記段階は、
　ベースシーケンスを前記ネットワーク装置によって生成する段階であって、前記ベースシーケンスの長さは、前記第１のＰＵＳＣＨによって占有される前記サブキャリア数より大きい又はそれに等しい、段階と、
　初期の参照信号シーケンスを取得するために、前記ベースシーケンスに対して巡回シフトを前記ネットワーク装置によって実行する段階と、
　前記第１の参照信号のシーケンスを取得するために、前記初期の参照信号シーケンスを前記ネットワーク装置によって不連続にサンプリングする段階と、
　前記第１の参照信号の前記シーケンスに従って前記第１のＰＵＳＣＨを前記ネットワーク装置によって復調する段階とを含む、請求項４に記載の方法。
　　【請求項７】
　データ伝送方法であって、
　ネットワーク装置によって送信される第１のダウンリンク制御情報を端末装置によって受信する段階であって、前記第１のダウンリンク制御情報は、第１の参照信号を示すのに用いられる構成情報を含み、前記第１の参照信号の前記構成情報は、前記第１の参照信号の伝送コム及び前記第１の参照信号の巡回シフトを含み、前記第１の参照信号の前記伝送コムは、偶数のサブキャリア又は奇数のサブキャリアを示す、段階と、
　前記第１の参照信号及び第１の物理アップリンク共有チャネル（第１のＰＵＳＣＨ）を前記端末装置によって構成する段階であって、前記第１の参照信号はスロット内のｉ番目のシンボルにあり、ｉは７より小さい正の整数であり、前記第１のＰＵＳＣＨは前記スロット内のｎ個のシンボルを占有し、ｎは１、２、又は３である、段階と、
　前記第１の参照信号及び前記第１のＰＵＳＣＨを前記ネットワーク装置へ前記端末装置によって送信する段階とを備え、
　第２の参照信号は前記スロット内の前記ｉ番目のシンボルにあり、
　第３の物理アップリンク共有チャネル（第３のＰＵＳＣＨ）は前記スロット内のｐ個のシンボルを占有し、ｐは１、２、又は３であり、前記第３のＰＵＳＣＨは前記第２の参照信号に従って前記ネットワーク装置によって復調され、
　前記第１の参照信号は、周波数ドメインにおいて奇数のサブキャリアを占有し、前記第２の参照信号は、前記周波数ドメインにおいて偶数のサブキャリアを占有するか、又は、
　前記第２の参照信号は、周波数ドメインにおいて奇数のサブキャリアを占有し、前記第１の参照信号は、前記周波数ドメインにおいて偶数のサブキャリアを占有する
方法。
　　【請求項８】
　前記スロットは７個のシンボルを有し、ｉは４であり、前記第１のＰＵＳＣＨは第１のシンボルセット又は第２のシンボルセットにあり、
　前記第１のシンボルセットは、７個の前記シンボルのうち最初の３個を含み、
　前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項７に記載の方法。
　　【請求項９】
　前記第１の参照信号は、周波数ドメインにおいて奇数のサブキャリア又は偶数のサブキャリアを占有し、前記第１の参照信号によって占有されるサブキャリア数の２倍が、前記第１のＰＵＳＣＨによって占有されるサブキャリア数より大きい又はそれに等しい、請求項７又は８に記載の方法。
　　【請求項１０】
　第１の参照信号を端末装置によって構成する前記段階は、
　前記第１の参照信号のシーケンスを前記端末装置によって生成する段階と、
　前記第１の参照信号の前記シーケンスを偶数の前記サブキャリア又は奇数の前記サブキャリアに前記端末装置によってマッピングする段階とを有する、請求項９に記載の方法。
　　【請求項１１】
　前記第１の参照信号のシーケンスを前記端末装置によって生成する前記段階は、
　ベースシーケンスを前記端末装置によって生成する段階であって、前記ベースシーケンスの長さは、前記第１のＰＵＳＣＨによって占有される前記サブキャリア数より大きい又はそれに等しい、段階と、
　初期の参照信号シーケンスを取得するために、前記ベースシーケンスに対して巡回シフトを前記端末装置によって実行する段階と、
　前記第１の参照信号の前記シーケンスを取得するために、前記初期の参照信号シーケンスを前記端末装置によって不連続にサンプリングする段階とを有する、請求項１０に記載の方法。
　　【請求項１２】
　ネットワーク装置であって、
　第１のダウンリンク制御情報を第１の端末装置へ送信する第１の送信ユニットであって、前記第１のダウンリンク制御情報は、第１の参照信号を示すのに用いられる構成情報を含み、前記第１の参照信号の前記構成情報は、前記第１の参照信号の伝送コム及び前記第１の参照信号の巡回シフトを含み、前記第１の参照信号の前記伝送コムは、偶数のサブキャリア又は奇数のサブキャリアを示す、第１の送信ユニットと、
　前記第１の端末装置によって送信される前記第１の参照信号及び第１の物理チャネル（第１のＰＵＳＣＨ）を受信する第１の受信ユニットであって、前記第１の参照信号はスロット内のｉ番目のシンボルにあり、ｉは７より小さい正の整数であり、前記第１のＰＵＳＣＨは前記スロット内のｎ個のシンボルを占有し、ｎは１、２、又は３である、第１の受信ユニットと、
　前記第１の参照信号に従って前記第１のＰＵＳＣＨを復調する第１の処理ユニットとを含み、
　前記第１の受信ユニットはさらに、第２の端末装置によって送信される第２の参照信号及び第３の物理アップリンク共有チャネル（第３のＰＵＳＣＨ）を受信し、前記第２の参照信号は前記スロット内のｉ番目のシンボルにあり、ｉは７より小さい前記正の整数であり、前記第３のＰＵＳＣＨは前記スロット内のｐ個のシンボルを占有し、ｐは１、２、又は３であり、
　前記ネットワーク装置は、前記第２の参照信号に従って前記第３のＰＵＳＣＨを復調し、
　前記第１のＰＵＳＣＨによって占有される前記シンボルは、前記第３のＰＵＳＣＨによって占有される前記シンボルと異なり、
　前記第１の参照信号は、周波数ドメインにおいて奇数のサブキャリアを占有し、前記第２の参照信号は、前記周波数ドメインにおいて偶数のサブキャリアを占有するか、又は、
　前記第２の参照信号は、周波数ドメインにおいて奇数のサブキャリアを占有し、前記第１の参照信号は、前記周波数ドメインにおいて偶数のサブキャリアを占有する
ネットワーク装置。
　　【請求項１３】
　前記スロットは７個のシンボルを有し、ｉは４であり、前記第１のＰＵＳＣＨは第１のシンボルセット又は第２のシンボルセットにあり、
　前記第１のシンボルセットは、７個の前記シンボルのうち最初の３個を含み、
　前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１２に記載のネットワーク装置。
　　【請求項１４】
　前記第１の参照信号は周波数ドメインにおいて奇数のサブキャリアもしくは偶数のサブキャリアを占有し、前記第１の参照信号によって占有されるサブキャリア数の２倍が、前記第１のＰＵＳＣＨによって占有されるサブキャリア数より大きい又はそれに等しい、請求項１２又は１３に記載のネットワーク装置。
　　【請求項１５】
　第１の送信ユニットはさらに、前記第２の端末装置によって送信される前記第２の参照信号及び前記第３のＰＵＳＣＨを前記第１の受信ユニットが受信する前に、第２のダウンリンク制御情報を前記第２の端末装置へ送信し、前記第２のダウンリンク制御情報は、前記第２の参照信号を示すのに用いられる構成情報を含み、前記第２の参照信号の前記構成情報は、前記第２の参照信号の伝送コム及び前記第２の参照信号の巡回シフトを含む、請求項１２又は１３に記載のネットワーク装置。
　　【請求項１６】
　前記第１の参照信号によって占有されるサブキャリア数の２倍が、前記第１のＰＵＳＣＨによって占有されるサブキャリア数より大きい又はそれに等しく、前記第２の参照信号によって占有されるサブキャリア数の２倍が、前記第３のＰＵＳＣＨによって占有されるサブキャリア数より大きい又はそれに等しい、請求項１２、１３及び１５のいずれか一項に記載のネットワーク装置。
　　【請求項１７】
　前記スロットが７個の前記シンボルを含み、ｉが４である場合、前記第１のＰＵＳＣＨによって占有される前記シンボルが前記第３のＰＵＳＣＨによって占有される前記シンボルと異なるということは、
　前記第１のＰＵＳＣＨが第１のシンボルセットにあり、前記第３のＰＵＳＣＨが第２のシンボルセットにあるか、又は前記第１のＰＵＳＣＨが前記第２のシンボルセットにあり、前記第３のＰＵＳＣＨが前記第１のシンボルセットにあることを含み、
　前記第１のシンボルセットは７個の前記シンボルのうち最初の３個を含み、
　前記第２のシンボルセットは、７個の前記シンボルのうち５番目のシンボル、６番目のシンボル、及び７番目のシンボルを含むか、又は７個の前記シンボルのうち５番目のシンボル及び６番目のシンボルを含む、請求項１２、１３、１５及び１６のいずれか一項に記載のネットワーク装置。
　　【請求項１８】
　前記第１の処理ユニットはさらに、
　長さが前記第１のＰＵＳＣＨによって占有される前記サブキャリア数より大きい又はそれに等しいベースシーケンスを生成し、
　初期の参照信号シーケンスを取得するために、前記ベースシーケンスに対して巡回シフトを実行し、
　前記第１の参照信号のシーケンスを取得するために、前記初期の参照信号シーケンスを不連続にサンプリングし、
　前記第１の参照信号の前記シーケンスに従って前記第１のＰＵＳＣＨを復調する、請求項１６に記載のネットワーク装置。
　　【請求項１９】
　端末装置であって
　ネットワーク装置によって送信される第１のダウンリンク制御情報を受信する第２の受信ユニットであって、前記第１のダウンリンク制御情報は、第１の参照信号を示すのに用いられる構成情報を含み、前記第１の参照信号の前記構成情報は、前記第１の参照信号の伝送コム及び前記第１の参照信号の巡回シフトを含み、前記第１の参照信号の前記伝送コムは、偶数のサブキャリア又は奇数のサブキャリアを示す、第２の受信ユニットと、
　前記第１の参照信号及び第１の物理アップリンク共有チャネル（第１のＰＵＳＣＨ）を構成する第２の処理ユニットであって、前記第１の参照信号はスロット内のｉ番目のシンボルにあり、ｉは７より小さい正の整数であり、前記第１のＰＵＳＣＨは前記スロット内のｎ個のシンボルを占有し、ｎは１、２、又は３である、第２の処理ユニットと、
　前記第１の参照信号及び前記第１のＰＵＳＣＨを前記ネットワーク装置へ送信する第２の送信ユニットとを含み、
　第２の参照信号は前記スロット内の前記ｉ番目のシンボルにあり、
　第３の物理アップリンク共有チャネル（第３のＰＵＳＣＨ）は前記スロット内のｐ個のシンボルを占有し、ｐは１、２、又は３であり、前記第３のＰＵＳＣＨは前記第２の参照信号に従って前記ネットワーク装置によって復調され、
　前記第１の参照信号は、周波数ドメインにおいて奇数のサブキャリアを占有し、前記第２の参照信号は、前記周波数ドメインにおいて偶数のサブキャリアを占有するか、又は、
　前記第２の参照信号は、周波数ドメインにおいて奇数のサブキャリアを占有し、前記第１の参照信号は、前記周波数ドメインにおいて偶数のサブキャリアを占有する
端末装置。
　　【請求項２０】
　前記スロットは７個のシンボルを有し、ｉは４であり、前記第１のＰＵＳＣＨは第１のシンボルセット又は第２のシンボルセットにあり、前記第１のシンボルセットは、７個の前記シンボルのうち最初の３個を含み、
　前記第２のシンボルセットは、７個の前記シンボルのうち５番目のシンボル、６番目のシンボル、及び７番目のシンボルを含むか、又は
　前記第２のシンボルセットは、７個の前記シンボルのうち５番目のシンボル及び６番目のシンボルを含む、請求項１９に記載の端末装置。
　　【請求項２１】
　前記第１の参照信号は、周波数ドメインにおいて奇数のサブキャリア又は偶数のサブキャリアを占有し、前記第１の参照信号によって占有されるサブキャリア数の２倍が、前記第１のＰＵＳＣＨによって占有されるサブキャリア数より大きい又はそれに等しい、請求項１９又は２０に記載の端末装置。
　　【請求項２２】
　前記第２の処理ユニットはさらに、
　前記第１の参照信号のシーケンスを生成し、
　前記第１の参照信号の前記シーケンスを偶数の前記サブキャリア又は奇数の前記サブキャリアにマッピングする、請求項２１に記載の端末装置。
　　【請求項２３】
　前記第２の処理ユニットはさらに、
　長さが前記第１のＰＵＳＣＨによって占有される前記サブキャリア数より大きい又はそれに等しいベースシーケンスを生成し、
　初期の参照信号シーケンスを取得するために、前記ベースシーケンスに対して巡回シフトを実行し、
　前記第１の参照信号の前記シーケンスを取得するために、前記初期の参照信号シーケンスを不連続にサンプリングする、請求項２２に記載の端末装置。
　　【請求項２４】
　請求項１から１１のいずれか一項に記載の方法をコンピュータに実行させるための、コンピュータプログラム。」
第３　引用文献
１　引用文献１の記載事項
　令和元年１２月１２日付け拒絶査定（以下、単に「拒絶査定」という。）で引用された米国特許出願公開第２０１３／０１３５９８４号明細書（以下、「引用文献１」という。）には、以下の事項が記載されている。
（１）「[0003] Example embodiments of the present invention relate in general to machine type communication (MTC), and more specifically, to an apparatus and a method for transmitting uplink data of machine type communication user equipment (MTC UE) that uses a bandwidth of 1.4 MHz (or 3 MHz or 5 MHz) in an MTC system based on 3rd generation partnership project long term evolution (3GPP LTE).」
（当審訳：【０００３】
本発明の実施例は、
マシンタイプコミュニケーションユーザイクイップメント（MTC UE）のアップリンクデータの伝送のための装置又は方法に関する。
（２）「[0051] Hereinafter, a machine type communication user equipment (MTC UE) or a long term evolution (LTE) terminal may be fixed or have mobility, and may be referred to as other terms such as a mobile station (MS), a user terminal (UT), a subscriber station (SS), a wireless device, and the like. In general, the base station denotes a fixed or moved point that communicates with a terminal, and may be a collective term including a base station, a node-B, an eNode-B, a base transceiver system (BTS), an access point (AP), a relay, a femto-cell, and the like.」
（当審訳：【００５１】以下では、マシンタイプコミュニケーションユーザイクイップメント（MTC UE）又はロングタームエボリューション（LTE）端末は、固定又は可動であり得、移動局（MS）、ユーザ端末（UT）、加入者局（SS）、無線装置等と呼ばれ得る。一般に、基地局は、端末と通信する固定又は移動点を意味し、基地局、node-B、eNode-B、基地送受信システム（BTS）、アクセスポイント、中継局、フェムトセル等を含む総称であり得る。）
（３）「[0053] FIG. 1 is a drawing showing a structure of a physical uplink shared channel (PUSCH) that transmits data of a long term evolution (LTE) terminal, and FIG. 2 is a drawing showing the number of LTE terminals that may be multiplexed in a single resource block (RB) in a case of multi-user multi-input multi-output (MU-MIMO).」
（当審訳：【００５３】図１はロングタームエボリューション（LTE）端末のデータを伝送する
物理アップリンク共有チャネル（PUSCH）
リソースブロック（RB）
（４）「[0058] When transmitting the PUSCH in MU-MIMO, the DMRS uses eight cyclic shifts (CSs) at a maximum, and orthogonality between the DMRS and other DMRSs is ensured by the CS to thereby reduce interference. Therefore, in the case of the MU-MIMO, eight LTE terminals may be multiplexed in the same RB.」
（当審訳：【００５８】MU-MIMOにおいてPUSCHを伝送するとき、DMRSは最大で８つの
巡回シフト（CS）
（５）「[0059] Here, the DMRS is a reference signal for estimating a channel, and is required for coherent-demodulation of a PUSCH in which an uplink-shared channel (UL-SCH) transmission channel is mapped. In addition, the DMRS is also required for coherent-demodulation of a physical uplink control channel (PUCCH) that transmits various types of L1/L2 control signaling.」
（当審訳）【００５９】ここで、
DMRSはチャネル推定のための参照信号であり、PUSCHのコヒーレント復調のために必要とされ
（６）「[0067] FIG. 4 is a drawing showing a structure of a PUSCH with respect to two MTC UE that may be multiplexed in a single RB by performing time division in a case of SU-MIMO according to another embodiment of the present invention.」
（当審訳：【００６７】図４は、本発明の別の実施例に従ってSU-MIMOの場合に
時分割を行うことで単一RBに多重化され得る２つのMTC UEに関するPUSCHの構造
（７）「[0068] Referring to FIG. 4, when a single RB is time-divided by two MTC UE (UE1 and UE2) to thereby map resources, positions where each MTC UE maps the resources in a single RB may be differently allocated.」
（当審訳：【００６８】図４を参照すると、単一RBが２つのMTC UE（UE1及びUE2）に時分割され、それによりリソースをマッピングし、各MTC UEが単一RB中でリソースをマッピングする位置は異なって割り当てられる。）
（８）「[0069] Specifically, the first MTC UE (UE1) maps the resources in symbols 0, 1, and 2 of a slot 0, and the second MTC UE (UE2) maps the resources in symbols 4, 5, and 6 of a slot 1.」
（当審訳：【００６９】具体的には、第１のMTC UE（UE1）はスロット０のシンボル０、１及び２にリソースをマッピングし、第２のMTC UE（UE2）はスロット１のシンボル４、５及び６にリソースをマッピングする。）
（９）「[0070] In order to distinguish the first MTC UE (UE1) and the second MTC UE (UE2), the DMRSs (DMRS 1 and DMRS 2) that are defined by mutually different CSs may be used.」
（当審訳：【００７０】
第１のMTC UE（UE1）と第２のMTC UE（UE2）とを区別するために、互いに異なるCSによって定義されるDMRS（DMRS 1及びDMRS 2）が使用され
（１０）「[0071] In the related art, a single UE is allocated with at least one RB, resources are mapped in the allocated at least one RB, and then the RB in which the resource is mapped is transmitted to a base station. However, according to an embodiment of the present invention, a single RB is time-divided by the two MTC UE, resources are mapped in a part of the RB, and then the RB in which the resources are mapped is transmitted to the base station.」
（当審訳：【００７１】関連技術において、単一のUEは少なくとも１つのRBに割り当てられ、リソースは、割り当てられた少なくとも１つのRBにマッピングされ、そして、リソースがマッピングされたRBは基地局に伝送される。しかしながら、本発明の実施例に従うと、
単一RBは２つのMTC UEに時分割され、リソースはRBの一部分にマッピングされ、そして、リソースがマッピングされたRBは基地局に伝送される。
（１１）図４
（１２）上記図４及び【００６９】の記載によれば、引用文献１には、第１のMTC UE（UE1）はスロット０及び１のシンボル０、１及び２にリソースをマッピングし、第２のMTC UE（UE2）はスロット０及び１のシンボル４、５及び６にリソースをマッピングすること、及び、DMRS 1及びDMRS 2は共にスロット０及び１のシンボル３にあることが開示されている。
（１３）引用発明
　前記（１）〜（１２）によれば、引用文献１には、以下の発明（以下、「引用発明」という。）が記載されていると認められる。
「マシンタイプコミュニケーションユーザイクイップメント（MTC UE）のアップリンクデータの伝送のための方法であって（【０００３】）、
　単一RBは２つのMTC UEに時分割され、リソースはRBの一部分にマッピングされ、そして、リソースがマッピングされたRBは基地局に伝送され（【００７１】）、
　時分割を行うことで単一RBに多重化され得る２つのMTC UEに関するPUSCHの構造は（【００６７】）、
　第１のMTC UE（UE1）はスロット０及び１のシンボル０、１及び２にリソースをマッピングし、第２のMTC UE（UE2）はスロット０及び１のシンボル４、５及び６にリソースをマッピングし（前記（１２））、
　第１のMTC UE（UE1）と第２のMTC UE（UE2）とを区別するために、互いに異なるCSによって定義されるDMRS（DMRS 1及びDMRS 2）が使用され（【００７０】）、
　DMRS 1及びDMRS 2は共にスロット０及び１のシンボル３にあり（前記（１２））、
　RBはリソースブロックのことであり（【００５３】）、
　PUSCHは物理アップリンク共有チャネルのことであり（【００５３】）、
　CSは巡回シフトのことであり（【００５８】）、
　DMRSはチャネル推定のための参照信号であり、PUSCHのコヒーレント復調のために必要とされるものである（【００５９】）
方法。」
２　引用文献２の記載事項
　拒絶査定で引用された米国特許出願公開第２０１３／０１１４７５６号明細書（以下、「引用文献２」という。）には、以下の事項が記載されている。
（１）「[0030] A high Doppler frequency can occur in a signal transmitted between two entities when one of the entities is moving at a high speed relative to the other. More specifically, when a UE is moving at a high speed relative to an eNB, a high Doppler frequency can occur in the signals transmitted between the UE and the eNB. In such cases, the communication channel changes rapidly, and more reference signals may be needed in the time domain to enable accurate channel interpolation and estimation. However, the uplink reference signal design in current LTE systems does not provide sufficient reference signal density for high Doppler frequency situations, and therefore the data throughput may be degraded in such situations due to inaccurate channel estimation. Embodiments of the present disclosure provide new DMRS formats that significantly increase the reference signal density in the time domain and enhance the channel estimation which in turn improve the data throughput. In these embodiments, the same reference signal overhead is maintained as in the legacy reference signals, and the increase in peak-to-average power ratio (PAPR) is minimized.」
（当審訳：【００３０】高いドップラー周波数は、一方のエンティティが他方に対して高速で移動しているときに２つのエンティティ間で伝送される信号に生じる。より具体的には、UEがeNBに対して高速で移動しているとき、高いドップラー周波数がUEとeNBとの間で伝送される信号に生じる。このような場合、通信チャネルは急激に変化し、チャネルの補間及び推定を正確にするために、時間領域でより多くの参照信号が必要となり得る。しかしながら、現行のLTEシステムでのアップリンク参照信号の設計はドップラー周波数が高い状況に対して十分な参照信号密度を提供しておらず、ゆえに、このような状況では不正確なチャネル推定に起因してデータスループットが低下し得る。本開示の実施例は、時間領域にて参照信号密度を大いに向上させ、チャネル推定を強化し、データスループットをも改善する新しいDMRSフォーマットを提供する。これらの実施例では、参照信号のオーバーヘッドが既存の参照信号と同程度に維持され、かつ、ピーク対平均電力比（PAPR）の増加が最小化される。）
（２）「[0037] To facilitate channel estimation and data decoding, a demodulation reference signal (DMRS) is inserted into the PUSCH. Due to the DFT-precoded OFDM transmission scheme, the DMRS occupies an entire OFDM symbol within the PUSCH resource allocation. As shown in FIG. 2, the DMRS 210 occupies the third OFDM symbol in a slot for a normal CP and the second OFDM symbol in a slot for an extended CP. (Herein, the term “zeroth OFDM symbol in a slot” refers to OFDM symbol #0, the term “first OFDM symbol in a slot” refers to OFDM symbol #1, and so on.)」
（当審訳：【００３７】チャネル推定及びデータ復号を円滑に進めるため、復調参照信号(DMRS)がPUSCHに挿入される。DFTプリコード化OFDM伝送スキームに起因して、DMRSはPUSCHリソース割り当て内の全OFDMシンボルを占める。図２に示されるように、DMRS 210はノーマルCPのスロット内の第３OFDMシンボル及び拡張CPのスロット内の第２OFDMシンボルを占める。（ここで、「スロット内の第０OFDMシンボル」との用語はOFDMシンボル#0を参照し、「スロット内の第１OFDMシンボル」との用語はOFDMシンボル#1を参照する、等々。））
（３）「[0050] FIG. 5 shows an example of one of the new DMRS formats. In the case of normal CP, the DMRS occupies the even subcarriers of the first OFDM symbol and the odd subcarriers of the fifth OFDM symbol in the slot. In the case of extended CP, the DMRS occupies the even subcarriers of the first OFDM symbol and the odd subcarriers of the fourth OFDM symbol. The REs that are not used for the DMRS in these OFDM symbols are used for data transmission. In the case of uplink spatial multiplexing, the RSs of multiple layers are multiplexed by CDM on the RS REs as in the current LTE system. The same RS pattern is repeated in the second slot of a subframe. This new DMRS format has the same amount of overhead as the current DMRS but with twice the density in the time domain. In addition, the new DMRS symbol has the same numerology as the data symbol.」
（当審訳：【００５０】図５は新しいDMRSフォーマットの一例を示す。ノーマルCPの場合、DMRSは該当スロットの第１OFDMシンボルの偶数サブキャリア及び第５OFDMシンボルの奇数サブキャリアを占める。拡張CPの場合、DMRSは第１OFDMシンボルの偶数サブキャリア及び第４OFDMシンボルの奇数サブキャリアを占める。これらのOFDMシンボルでDMRSに用いられないREはデータ伝送に用いられる。アップリンク空間多重の場合、多数レイヤーのRSは、現行のLTEシステムと同様に、RS REにCDMで多重化される。同一のRSパターンがサブフレームの第２スロットで繰り返される。この新しいDMRSフォーマットは、現行のDMRSと同一のオーバーヘッド量を持つが、時間領域で２倍の密度を持つ。加えて、新しいDMRSシンボルはデータシンボルと同様の無線パラメータを持つ。）
（４）「[0051] FIG. 6 shows another example of the new DMRS format in which the RS REs occupy the same set of subcarriers in the two DMRS symbols in a slot. Another example of the new DMRS format is shown in FIG. 7, where the RS REs are placed in every third RE on OFDM symbols 1, 3, and 5. As in FIG. 5, the RS REs on different OFDM symbols are offset by one subcarrier in FIG. 7, but such an offset is not necessarily the case, as can be seen in FIG. 6. FIG. 8 and FIG. 9 show another two examples of the new DMRS format. The DMRS patterns in FIG. 7, FIG. 8, and FIG. 9 have high RS densities in the time domain but at the cost of slightly higher PAPRs than the patterns in FIG. 5 and FIG. 6.」
（当審訳：【００５１】図６は、新しいDMRSフォーマットの他の例を示すものであり、このフォーマットでは、RS REが１スロットにおける２つのDMRSシンボルで同じサブキャリアの集合を占める。新しいDMRSフォーマットの別の例が図７に示され、ここではRS REがOFDMシンボル１、３及び５において３つのREごとに配置される。図５と同様に、図７では異なるOFDMシンボルにおけるRS REは１サブキャリアずつオフセットされるが、そのようなオフセットは、図６に示されるような場合には、必ずしも当てはまらない。図８及び図９は新しいDMRSフォーマットの別の２つの例を示す。図７、図８及び図９のDMRSパターンは、時間領域におけるRS密度が高いが図５及び図６のパターンに比べてPAPRのコストがわずかに高い。）
（５）「[0071] The new DMRS format may be semi-statically enabled by higher layer radio resource control (RRC) signaling. For example, as shown by the underlined portion of FIG. 14, a one-bit parameter, referred to in the figure as dmrs-HighDoppler-Activated, may be introduced in the PUSCH-ConfigDedicated information element (IE) to specify the UE-specific PUSCH configuration. For high-Doppler UEs or mobile relays, the eNB enables the dmrs-HighDoppler-Activated parameter, and the new DMRS format is used for PUSCH transmission. If multiple possible DMRS patterns are available for different levels of trade-off between channel estimation accuracy and PAPR, then a multiple-bit version of the dmrs-HighDoppler-Activated parameter is possible as well. In this case, the dmrs-HighDoppler-Activated parameter indicates which pattern is to be used. The eNB may also disable the utilization of the new DMRS format. That is, the eNB may estimate the Doppler frequency, based on CP for example, and determine whether the new DMRS format is needed. If the Doppler frequency is increased or reduced and the new DMRS format needs to be turned on or off, the eNB sends an RRCConnectionReconfiguration message which includes the PUSCH-ConfigDedicated IE to enable or disable the dmrs-HighDoppler-Activated parameter.」
（当審訳：「【００７１】新しいDMRSフォーマットは、高次レイヤーの無線リソース制御（RRC）信号伝送によって半静的に有効化され得る。例えば、図１４の下線部分で示されるように、該図でdmrs-HighDoppler-Activatedとして参照される１ビットのパラメータがPUSCH-ConfigDedicated情報要素（IE）中に導入されることで、UE固有のPUSCHコンフィギュレーションを特定し得る。高ドップラーUE又は移動中継局に対して、eNBはdmrs-HighDoppler-Activatedパラメータを有効化し、新しいDMRSフォーマットはPUSCH伝送のために用いられる。チャネル推定の正確性とPAPRとのトレードオフの種々のレベルに対して多数のDMRSパターンを取り得るならば、多数ビットバージョンのdmrs-HighDoppler-Avtivatedパラメータが同様に利用できる。この場合、dmrs-HighDoppler-Activatedパラメータはどのパターンが用いられているかを示す。eNBは新しいDMRSフォーマットの利用の無効化もし得る。すなわち、eNBは、例えばCPに基づいてドップラー周波数を推定し、新しいDMRSフォーマットが必要であるかを決定し得る。ドップラー周波数が増大又は減少し、新しいDMRSフォーマットをオン又はオフに変える必要があるならば、eNBはPUSCH-ConfigDedicated IEを含むRRCConnectionReconfigurationメッセージを送信し、dmrs-HighDoppler-Activatedパラメータを有効化又は無効化する。」
（６）「[0075] For fast enablement and disablement, a DMRS format indicator may also be signaled in Layer 1 UL grants in a way similar to the signaling of a DMRS cyclic shift. One additional bit may be added in downlink control information (DCI) format 0 or DCI format 4 to indicate whether the new DMRS format is enabled or disabled. Alternatively, multiple bits may be signaled to indicate which DMRS format is to be used.」
（当審訳：【００７５】素早い有効化及び無効化のために、DMRSフォーマット指示子も、DMRS巡回シフトの信号伝送と同様の方法で、レイヤー１ULグラントで送信され得る。追加の１ビットがダウンリンク制御情報（DCI）フォーマット０又はDCIフォーマット４に付加されることで、新しいDMRSフォーマットが有効化されているか又は無効化されているかを示し得る。代替として、多数ビットが送信されることで、どのDMRSフォーマットが用いられるべきかを示し得る。）
（７）図２
（８）図５
（９）図６
（１０）図７
（１１）図８
（１２）図９
第４　本願発明１と引用発明との対比
１　引用発明は「アップリンクデータの伝送のための方法」であるから、本願発明１と引用発明とは、「データ伝送方法」である点で共通する。
２　本願明細書の「端末装置は、ユーザ機器（Ｕｓｅｒ　Ｅｑｕｉｐｍｅｎｔ、略して「ＵＥ」）、移動局（Ｍｏｂｉｌｅ　Ｓｔａｔｉｏｎ、略して「ＭＳ」）、移動端末（Ｍｏｂｉｌｅ　Ｔｅｒｍｉｎａｌ）などとも呼ばれることがある。」（【００６６】）との記載によれば、本願発明１の「端末装置」は、移動局を包含するものである。
　そして、引用発明の「MTC UE」（マシンタイプコミュニケーションユーザイクイップメント）は、「マシンタイプコミュニケーションユーザイクイップメント（MTC UE）又はロングタームエボリューション（LTE）端末は、固定又は可動であり得、移動局（MS）、ユーザ端末（UT）、加入者局（SS）、無線装置等と呼ばれ得る。」（【００５１】）との記載によれば、移動局である。
　そうすると、引用発明の「第１のMTC UE（UE1）」及び「第２のMTC UE（UE2）」は、それぞれ本願発明１の「第１の端末装置」及び「第２の端末装置」に相当する。
３　本願明細書の「ネットワーク装置は、ＧＳＭ（登録商標）又はＣＤＭＡの無線基地局装置（Ｂａｓｅ　Ｔｒａｎｓｃｅｉｖｅｒ　Ｓｔａｔｉｏｎ、略して「ＢＴＳ」）であってよく、ＷＣＤＭＡ（登録商標）のＮｏｄｅＢ（ＮｏｄｅＢ、略して「ＮＢ」）であってよく、又は、ＬＴＥの進化型ノードＢ（Ｅｖｏｌｖｅｄ　ＮｏｄｅＢ、略して「ｅＮＢ又はｅＮｏｄｅＢ」）であってもよい。」（【００６６】）との記載、及び、引用文献１の「基地局、node-B、eNode-B、基地送受信システム（BTS）、アクセスポイント、中継局、フェムトセル等を含む総称であり得る。」（【００５１】）によれば、引用発明の「基地局」は本願発明１の「ネットワーク装置」に相当する。
４　引用発明の「DMRS」は「チャネル推定のための参照信号」であり、「DMRS 1」及び「DMRS 2」は「第１のMTC UE（UE1）と第２のMTC UEとを区別するため」に使用されるから、引用発明の「DMRS 1」及び「DMRS 2」は、それぞれ本願発明１の「第１の端末装置によって送信される前記第１の参照信号」及び「第２の端末装置によって送信される第２の参照信号」に相当する。
５　引用発明の「データの伝送のための方法」に用いられる「時分割を行うことで単一RBに多重化され得る２つのMTC UEに関するPUSCHの構造」は「第１のMTC UE（UE1）はスロット０及び１のシンボル０、１及び２にリソースをマッピングし、第２のMTC UE（UE2）はスロット０及び１のシンボル４、５及び６にリソースをマッピング」することを含み、かつ、「リソースがマッピングされたRBは基地局に伝送され」るのであるから、引用発明の「スロット０及び１のシンボル０、１及び２」は本願発明１の第１の端末装置によって送信される「第１の物理アップリンク共有チャネル（第１のＰＵＳＣＨ）」に相当し、引用発明の「スロット０及び１のシンボル４、５及び６」は本願発明１の第２の端末装置によって送信される「第３の物理アップリンク共有チャネル（第３のＰＵＳＣＨ）」に相当する。
　そして、引用発明では、「DMRS 1」及び「DMRS 2」が存在する「スロット０及び１のシンボル３」、「第１のMTC UE（UE1）」のリソースがマッピングされた「スロット０及び１のシンボル０、１及び２」、並びに、「第２のMTC UE（UE2）」のリソースがマッピングされた「スロット０及び１のシンボル４、５及び６」からなる「RB」が基地局に伝送されるのであるから、該基地局は該「RB」を受信する。そうすると、本願発明１と引用発明とは、「前記第１の端末装置によって送信される前記第１の参照信号及び第１の物理アップリンク共有チャネル（第１のＰＵＳＣＨ）を前記ネットワーク装置によって受信する段階であって、前記第１の参照信号はスロット内のｉ番目のシンボルにあり、ｉは７より小さい正の整数であり、前記第１のＰＵＳＣＨは前記スロット内のｎ個のシンボルを占有し、ｎは１、２、又は３である、段階」及び「第２の端末装置によって送信される第２の参照信号及び第３の物理アップリンク共有チャネル（第３のＰＵＳＣＨ）を前記ネットワーク装置によって受信する段階であって、前記第２の参照信号は前記スロット内のｉ番目のシンボルにあり、ｉは７より小さい前記正の整数であり、前記第３のＰＵＳＣＨは前記スロット内のｐ個のシンボルを占有し、ｐは１、２、又は３である、段階」を備える点で一致する。
６　引用発明の「DMRS」は「PUSCHのコヒーレント復調のために必要とされるもの」であり、「DMRS 1」及び「DMRS 2」は「第１のMTC UE（UE1）と第２のMTC UE（UE2）とを区別するために」使用されるのであるから、「DMRS 1」は「第１のMTC UE(UE1)」のリソースがマッピングされた「スロット０及び１のシンボル０、１及び２」を復調するためのものであり、「DMRS 2」は「第２のMTC UE(UE2)」のリソースがマッピングされた「スロット０及び１のシンボル４、５及び６」を復調するためのものである。
　そして、これらの復調は、RBを受信した基地局で行われることが明らかである。
　そうすると、本願発明１と引用発明とは、「前記第１の参照信号に従って前記第１のＰＵＳＣＨを前記ネットワーク装置によって復調する段階」及び「前記第２の参照信号に従って前記第３のＰＵＳＣＨを前記ネットワーク装置によって復調する段階」を備える点で一致する。
７　引用発明の「第１のMTC UE(UE1)」のリソースがマッピングされた「スロット０及び１のシンボル０、１及び２」と「第２のMTC UE(UE2)」のリソースがマッピングされた「スロット０及び１のシンボル４、５及び６」とはシンボル番号が相異なるから、本願発明１と引用発明とは、「前記第１のＰＵＳＣＨによって占有される前記シンボルは、前記第３のＰＵＳＣＨによって占有される前記シンボルと異な」る点で一致する。
８　前記１〜７によれば、本願発明１と引用発明との一致点及び相違点は、以下のとおりである。
〈一致点〉
「　データ伝送方法であって、
　第１の端末装置によって送信される第１の参照信号及び第１の物理アップリンク共有チャネル（第１のＰＵＳＣＨ）をネットワーク装置によって受信する段階であって、前記第１の参照信号はスロット内のｉ番目のシンボルにあり、ｉは７より小さい正の整数であり、前記第１のＰＵＳＣＨは前記スロット内のｎ個のシンボルを占有し、ｎは１、２、又は３である、段階と、
　前記第１の参照信号に従って前記第１のＰＵＳＣＨを前記ネットワーク装置によって復調する段階とを備え、
　前記データ伝送方法は、
　第２の端末装置によって送信される第２の参照信号及び第３の物理アップリンク共有チャネル（第３のＰＵＳＣＨ）を前記ネットワーク装置によって受信する段階であって、前記第２の参照信号は前記スロット内のｉ番目のシンボルにあり、ｉは７より小さい前記正の整数であり、前記第３のＰＵＳＣＨは前記スロット内のｐ個のシンボルを占有し、ｐは１、２、又は３である、段階と、
　前記第２の参照信号に従って前記第３のＰＵＳＣＨを前記ネットワーク装置によって復調する段階とをさらに備え、
　前記第１のＰＵＳＣＨによって占有される前記シンボルは、前記第３のＰＵＳＣＨによって占有される前記シンボルと異なる
方法。」である点。
〈相違点〉
　本願発明１は、「第１のダウンリンク制御情報を第１の端末装置へネットワーク装置によって送信する段階であって、前記第１のダウンリンク制御情報は、第１の参照信号を示すのに用いられる構成情報を含み、前記第１の参照信号の前記構成情報は、前記第１の参照信号の伝送コム及び前記第１の参照信号の巡回シフトを含み、前記第１の参照信号の前記伝送コムは、偶数のサブキャリア又は奇数のサブキャリアを示す、段階」を備え、「前記第１の参照信号は、周波数ドメインにおいて奇数のサブキャリアを占有し、前記第２の参照信号は、前記周波数ドメインにおいて偶数のサブキャリアを占有するか」又は「前記第２の参照信号は、周波数ドメインにおいて奇数のサブキャリアを占有し、前記第１の参照信号は、前記周波数ドメインにおいて偶数のサブキャリアを占有する」のに対し、引用発明は「ダウンリンク制御情報」を送信するものではなく、これに伴い「構成情報」を備えておらず、加えて、「DMRS 1」及び「DMRS 2」は、それぞれが偶数及び奇数のサブキャリアを占有又は奇数及び偶数のサブキャリアを占有するものではなく、どちらも全てのサブキャリアを占有している点。
第５　相違点についての判断
１　引用文献２には、ダウンリンク制御情報（DCI）フォーマット０又はDCIフォーマット４にDMRSフォーマット指示子として追加の１ビットを付加して、新しいDMRSフォーマットが有効化されているか又は無効化されているかを示し、代替として、DMRSフォーマット指示子を多数ビットとすることで、どのDMRSフォーマットが用いられるべきかを示すこと（【００７５】）が開示されており、新しいDMRSフォーマットとして、ノーマルCPの場合の第５OFDMシンボルのDMRSが奇数サブキャリアを占めるもの（【００５０】、図５）や、ノーマルCPの場合の第５OFDMシンボルのDMRSが偶数サブキャリアを占めるもの（図６、【００５１】）等が開示されている。
　引用文献２に記載された「DCIフォーマット０」及び「DCIフォーマット４」は「ダウンリンク制御情報」であるから、本願発明１の「第１のダウンリンク制御情報」に対応するものであり、引用文献２に記載された「DMRSフォーマット指示子」は、本願発明１の「第１の参照信号を示すのに用いられる構成情報」に対応するものである。
２　しかしながら、引用文献２に記載された「DMRSフォーマット指示子」は、DMRSが偶数のサブキャリア又は奇数のサブキャリアを占めること（すなわち、本願発明１の「伝送コム」）を示すものではない。
　引用文献２に記載された「DMRSフォーマット指示子」は、(i)新しいDMRSフォーマットが有効化されているか又は無効化されているかを示すものであるか、(ii) どのDMRSフォーマットが用いられるべきかを示すものである。
　(i)の場合、「DMRSフォーマット指示子」は新しいDMRSフォーマット（図５〜図９に示されるフォーマットのいずれか）が有効化されているか、無効化されていることを示すものであって、無効化されている場合は、従来のDMRSフォーマット（図２に示されるフォーマット）が使用されるものと認められ、従来のDMRSフォーマットは、DMRSが全てのサブキャリアを占有するものである。そうすると、(i)の「DMRSフォーマット指示子」は、DMRSが全てのサブキャリアを占有するか否かを示すものであって、「偶数のサブキャリア又は奇数のサブキャリアを示す」ような「伝送コム」とは異なる。
　(ii)の場合、「DMRSフォーマット指示子は」どのDMRSフォーマットを用いるのかを示すものであり、この場合のDMRSフォーマットには、全サブキャリアを占有する図２に示される従来のDMRSフォーマットに加え、１つおきのサブキャリアを占有する新しいDMRSフォーマット（図５、図６）、２つおきのサブキャリアを占有する新しいDMRSフォーマット（図７）及び３つおきのサブキャリアを占有する新しいDMRSフォーマット（図８、図９）が含まれると認められる。そうすると、(ii)の「DMRSフォーマット指示子」は、DMRSが何個おきのサブキャリアを占有するかを示すものであって、「偶数のサブキャリア又は奇数のサブキャリアを示す」ような「伝送コム」とは異なる。
３　仮に、引用文献２に記載された技術において、図５に示される新しいDMRSフォーマット及び図６に示される新しいDMRSフォーマットのみを採用し、それ以外のDMRSフォーマットを採用しないならば、「DMRSフォーマット指示子」は、第５OFDMシンボルのDMRSに関して「偶数のサブキャリア又は奇数のサブキャリアを示す」ものとなるが、前記２つのDMRSフォーマットのみを採用することは、引用文献２に開示される技術的思想に反する。
　引用文献２には、従来のLTEシステムのDMRSフォーマットはドップラー周波数が高い状況に対して十分な参照信号密度を提供しておらずチャネル推定が不正確になるため、参照信号密度が大きい新しいDMRSフォーマットを提供するものであるが（【００３０】）、新しいDMRSフォーマットはピーク対平均電力比（PAPR）がわずかに増加するものである（【００３０】、【００５１】）から、DMRSフォーマットは、チャネル推定の正確性とPAPRとのトレードオフを考慮して選択すべき（【００７１】）との技術的思想が開示されている。
　図５に示される新しいDMRSフォーマットと図６に示される新しいDMRSフォーマットとは、時間領域におけるDMRS密度が同じであるため、チャネル推定の正確性とPAPRとのトレードオフが生じない。そうすると、この２つのフォーマットのみを選択可能とすることは、前記技術的思想に反する。
４　前記１〜３によれば、引用発明に引用文献２に記載された技術を適用したとしても、本願発明１でいう「偶数のサブキャリア又は奇数のサブキャリアを示す」「伝送コム」は得られない。
　以上によれば、本願発明１は、引用発明及び引用文献２に記載された技術から容易になし得るものではない。
第６　本願発明２〜２４についての判断
　本願発明２〜６は、いずれも、本願発明１の「偶数のサブキャリア又は奇数のサブキャリアを示す」「伝送コム」を発明特定事項として含むため、前記第５に示したとおり、引用発明及び引用文献２に記載された技術から容易になし得るものではない。
　本願発明７は、本願発明１に対応する端末側のデータ伝送方法であり、本願発明１と同様に「偶数のサブキャリア又は奇数のサブキャリアを示す」「伝送コム」を発明特定事項として含むため、前記第５と同様に、引用発明及び引用文献２に記載された技術から容易になし得るものではない。本願発明８〜１１も同様である。
　本願発明１２は、本願発明１のカテゴリ違いの発明であるから、前記５と同様に、引用発明及び引用文献２に記載された技術から容易になし得るものではない。本願発明１３〜１８も同様である。
　本願発明１９は、本願発明１２のカテゴリ違いの発明であるから、前記５と同様に、引用発明及び引用文献２に記載された技術から容易になし得るものではない。本願発明２０〜２３も同様である。
　本願発明２４は、本願発明１又は本願発明７の「偶数のサブキャリア又は奇数のサブキャリアを示す」「伝送コム」を発明特定事項として含むため、前記第５と同様に、引用発明及び引用文献２に記載された技術から容易になし得るものではない。
第７　原査定の概要及び原査定についての判断
　原査定の理由は、請求項１〜３９に係る発明は、引用文献１に記載された発明に引用文献２に記載された発明を適用することで、その出願前にその発明の属する技術の分野における通常の知識を有する者が容易に発明をすることができたものであるから、特許法第２９条第２項の規定により特許を受けることができない、というものである。
　しかしながら、前記第４〜６のとおりであるから、原査定を維持することはできない。
　なお、原査定は、引用文献１に記載された発明として、図３に記載されたものを認定しているが、図３に記載された発明では、「第１のMTC UE(UE1)」のリソースがマッピングされるのはスロット０であるが、「第２のMTC UE(UE2)」のリソースがマッピングされるのはスロット１であり、スロットが異なるため、前記第４、８に示した相違点に加えて本願発明１の「第３のＰＵＳＣＨは
前記
第８　むすび
　前記第５及び第６のとおり、本願発明は、当業者が引用発明及び引用文献２に記載された技術に基づいて容易に発明をすることができたものではない。
　前記第７のとおり、原査定の理由によっては、本願を拒絶することはできない。
　また、他に本願を拒絶すべき理由を発見しない。
　よって、結論のとおり審決する。